(57)【要約】【課題】  文字板の耐衝撃性を向上させることができる時計を提供する。【解決手段】  ベース板１３上に装飾板１４が設けられた文字板１２と、この文字板１２を収容する腕時計ケース１と、を備え、文字板１２は、装飾板１４が腕時計ケース１に対して非接触状態で腕時計ケース１内に収容されている。従って、文字板１２の装飾板１４が腕時計ケース１に対して非接触状態で腕時計ケース１内に収容されているので、腕時計ケース１が外部から衝撃を受けても、装飾板１４が腕時計ケース１に接触することがない。このため、腕時計ケース１が受けた衝撃によって装飾板１４が傷付いたり破損したりすることがないので、耐衝撃性を向上させることができる。【選択図】        図２
2020159767.tif 000002
【特許請求の範囲】
【請求項１】
ベース部材上に装飾部材が設けられた文字板と、
前記文字板を収容するケースと、
を備え、
前記文字板は、前記装飾部材が前記文字板の面方向の全周囲において、前記ケースから第１の距離以上離間した位置に配置され、且つ前記ベース部材が前記文字板の面方向の全周囲において、前記ケースから前記第１の距離より接近した位置に配置されるよう前記ケース内に収容されていることを特徴とする時計。
【請求項２】
請求項１に記載の時計において、前記装飾部材は、脆性素材によって板状に形成されていることを特徴とする時計。
【請求項３】
請求項２に記載の時計において、前記装飾部材は、前記脆性素材として、アヴェンチュリン、サファイア、ヒスイなどの天然または人工の貴石、あるいは夜光貝、鮑貝などの貝の素材を含むことを特徴とする時計。
【請求項４】
請求項１〜請求項３のいずれかに記載の時計において、前記文字板は、前記ベース部材が前記ケースに前記ベース部材の面方向と直交する厚み方向に押し当てられて保持されていることを特徴とする時計。
【請求項５】
請求項１〜請求項４のいずれかに記載の時計において、前記ベース部材の外周に対応して前記ケースの内周部に設けられ、前記ベース部材の面方向の位置ずれを規制する押え部材を備えていることを特徴とする時計。
【請求項６】
請求項５に記載の時計において、前記装飾部材の外周よりも突出する前記ベース部材の外周側の端面と前記押え部材の内周面とが、前記第１の距離よりも短い第２の距離だけ面方向において離間して配置されることを特徴とする時計。
【請求項７】
請求項１〜請求項６のいずれかに記載の時計において、前記装飾部材と前記ケースとの間の間隔を覆って前記装飾部材の外周部を隠すカバー部材を備えていることを特徴とする時計。
【発明の詳細な説明】
【技術分野】
【０００１】
この発明は、文字板を備えた腕時計などの時計に関する。
【背景技術】
【０００２】
例えば、腕時計の文字板においては、特許文献１に記載されているように、金属板上にペーストを塗布して焼成した後、この焼成されたペーストの上面を研磨することにより、貴石感をもたせたものが知られている。
【先行技術文献】
【特許文献】
【０００３】
【特許文献１】特開昭５４−９８８８２号公報
【発明の概要】
【発明が解決しようとする課題】
【０００４】
このような腕時計では、文字板の金属板上に焼成されたペーストが脆性素材であるから、文字板を腕時計ケース内に組み込んだ状態で、腕時計ケースが外部から衝撃を受けた際に、その衝撃によってペーストが腕時計ケースに当接して破損し易いため、耐衝撃性に欠けるという問題がある。
【０００５】
この発明が解決しようとする課題は、文字板の耐衝撃性を向上させることができる時計を提供することである。
【課題を解決するための手段】
【０００６】
この発明は、ベース部材上に装飾部材が設けられた文字板と、前記文字板を収容するケースと、を備え、前記文字板は、前記装飾部材が前記文字板の面方向の全周囲において、前記ケースから第１の距離以上離間した位置に配置され、且つ前記ベース部材が前記文字板の面方向の全周囲において、前記ケースから前記第１の距離より接近した位置に配置されるよう前記ケース内に収容されていることを特徴とする時計である。
【発明の効果】
【０００７】
この発明によれば、文字板の耐衝撃性を向上させることができる。
【図面の簡単な説明】
【０００８】
【図１】この発明を腕時計に適用した一実施形態を示した拡大正面図である。
【図２】図１に示された腕時計のＡ−Ａ矢視における要部を示した拡大断面図である。
【図３】図２に示された文字板を示し、（ａ）はその拡大斜視図、（ｂ）はその拡大正面図である
【図４】図３に示された文字板のベース板と装飾板とを示し、（ａ）はベース板を示した拡大正面図、（ｂ）は装飾板を示した拡大正面図である。
【発明を実施するための形態】
【０００９】
以下、図１〜図４を参照して、この発明を腕時計に適用した一実施形態について説明する。
この腕時計は、図１に示すように、腕時計ケース１を備えている。この腕時計ケース１の１２時側と６時側とには、時計バンド（図示せず）が取り付けられるバンド取付部２がそれぞれ設けられている。また、この腕時計ケース１の２時側、３時側、および４時側には、スイッチ部３がそれぞれ設けられている。
【００１０】
この腕時計ケース１は、図１および図２に示すように、第１ケース４と第２ケース５とを備えている。第１ケース４は、本体ケースであり、金属または硬質の合成樹脂によって形成されている。第２ケース５は、ベゼルであり、第１ケース４と同様、金属または硬質の合成樹脂によって形成され、第１ケース４の上部に一体的に設けられている。
【００１１】
この腕時計ケース１の上部開口部、つまり第２ケース５の上部開口部には、図１および図２に示すように、時計ガラス６がバッキン６ａを介して取り付けられている。この腕時計ケース１の下部、つまり第１ケース４の下部には、裏蓋７が防水リング７ａを介して取り付けられている。また、この腕時計ケース１の内部には、時計モジュール８が収容されている。
【００１２】
この時計モジュール８は、図２に示すように、ハウジング１０を備えている。このハウジング１０は、図示されていないが、複数の指針を個別に運針させて時刻などの情報をそれぞれ指示表示させる複数の時計ムーブメント、時刻や日付などの情報を電気光学的に表示する表示部、これらを駆動して制御する回路基板などの時計機能に必要な各種の部品が搭載されている。
【００１３】
ハウジング１０は、図２に示すように、その外周に合成樹脂製の中枠１１が設けられ、この中枠１１によって腕時計ケース１の第１ケース４内に組み込まれるように構成されている。このハウジング１０の上面には、文字板１２が設けられている。この文字板１２は、ベース部材であるベース板１３と装飾部材である装飾板１４とを備え、ベース板１３の上面に装飾板１４が両面粘着テープや液体接着剤などの接着材（図示せず）によって貼り付けられた構造になっている。
【００１４】
この場合、文字板１２は、図１に示すように、主表示領域および第１〜第４副表示領域１５ａ〜１５ｄを備えている。主表示領域は、指針（図示せず）が文字板１２全体の上方を運針する領域であり、文字板１２の中心に指針軸（図示せず）が挿入する軸挿入孔１２ａが文字板１２の上下に貫通して設けられている。
【００１５】
第１副表示領域１５ａは、図１に示すように、文字板１２の１２時側に設けられて第１副針（図示せず）が運針する円形状の領域であり、その円形状の領域の中心に位置する箇所のベース板１３に第１副針軸（図示せず）が挿入する第１挿入孔１３ｂが設けられている。
【００１６】
第２副表示領域１５ｂは、図１に示すように、文字板１２の６時側に設けられて２つの第２副針（図示せず）がそれぞれ運針する大きさの異なる２つの円形の一部が重なり合った形状の領域であり、その一部が重なり合う２つの円形状の領域の各中心に位置する箇所のベース板１３に第２副針軸（図示せず）が挿入する第２挿入孔１３ｃがそれぞれ設けられている。
【００１７】
第３副表示領域１５ｃは、図１に示すように、文字板１２の９時側に設けられて第３副針（図示せず）が運針する円形状の領域であり、その円形状の領域の中心に位置する箇所のベース板１３に第３副針軸（図示せず）が挿入する第３挿入孔１３ｄが設けられている。第４副表示領域１５ｄは、文字板１２の３時側に設けられた四角形状の領域であり、その下側に配置された時計モジュール８の表示部（図示せず）が対応し、この表示部に表示された時刻や日付などの情報が上方から見えるように、文字板１２に四角形状の表示開口部１２ｂが設けられている。
【００１８】
文字板１２のベース板１３は、図３および図４に示すように、合成樹脂または金属によって円板状に形成されていても良いが、時計モジュール８が文字板１２の下側にソーラーパネル（図示せず）を備えている場合には、透明または半透明の光透過性を有する合成樹脂によって円板状に形成されていても良い。
【００１９】
このベース板１３には、図３および図４に示すように、主表示領域の軸挿入孔１２ａ、第１副表示領域１５ａの第１挿入孔１３ｂ、第２副表示領域１５ｂの２つの第２挿入孔１３ｃ、第３副表示領域１５ｃの第３挿入孔１３ｄ、および第４副表示領域１５ｄの表示開口部１２ｂが設けられている。
【００２０】
一方、文字板１２の装飾板１４は、図２〜図４に示すように、アヴェンチュリン、サファイア、ヒスイなどの天然または人工の貴石、あるいは夜光貝、鮑貝などの貝で、装飾性の高い脆性素材によって板状に形成されている。この場合、この実施形態では、装飾板１４がアヴェンチュリンによってベース板１３とほぼ同じ外形の円板状に形成されている。
【００２１】
この装飾板１４には、図３および図４（ｂ）に示すように、主表示領域の軸挿入孔１２ａ、第１副表示領域１５ａに対応する第１円形孔１４ａ、第２副表示領域１５に対応する大きさの異なる２つの第２円形孔１４ｂ、第３副表示領域１５ｃに対応する第３円形孔１４ｃ、および第４副表示領域１５ｄの表示開口部１２ｂが、それぞれ上下に開放されて設けられている。
【００２２】
この場合、これら第１〜第３円形孔１４ａ〜１４ｃのうち、例えば第１副表示領域１５ａの第１円形孔１４ａ内には、図３および図４（ａ）に示すように、アルミニウムなどの金属製の装飾リング１６が配置されている。この装飾リング１６は、円形のリング状に形成されていても良いが、本実施形態においては、不連続な円形のリング状つまりＣ字形状のリング状に形成されている。
【００２３】
この装飾リング１６は、図３および図４（ａ）に示すように、ベース板１３上に設けられて、第１円形孔１４ａの内周面に非接触状態で第１円形孔１４ａ内に配置されている。この場合、装飾リング１６は、必ずしも第１円形孔１４ａのみに設けられている必要はなく、第２、第３副表示領域１５ｂ、１５ｃの第２、第３円形孔１４ｂ、１４ｃに設けられていても良い。
【００２４】
また、文字板１２の装飾板１４は、図２に示すように、脆性素材であることにより、強度と全体の薄型化の相関関係から、その厚みが０．４ｍｍ〜２．０ｍｍの範囲で形成可能であり、本実施形態においては０．７ｍｍ程度に形成されている。すなわち、この装飾板１４は、厚みが厚いと加工し易いが、文字板１２全体の厚みが厚くなり、時計モジュール８全体の厚みが厚くなる。このため、時計モジュール８を薄型化する際には、この装飾板１４は、脆性素材であっても、厚みの薄い方が望ましい。
【００２５】
この場合、装飾板１４として、アヴェンチュリン、サファイア、ヒスイなどの天然または人工の貴石を０．７ｍｍ程度の厚みの薄い板状に形成した場合には、貴石の素材そのものデザインが表現される。また、夜光貝、鮑貝などの貝を薄い板状に形成した場合には、螺鈿としてのデザインが表現される。これにより、文字板１２は、装飾板１４によってデザイン性が高められるように構成されている。
【００２６】
また、この文字板１２は、図２に示すように、耐衝撃性を確保するために、装飾板１４が腕時計ケース１に対して非接触状態で、腕時計ケース１内に設けられるように構成されている。すなわち、ベース板１３の外周には、図２〜図４に示すように、複数の突起部１３ａが装飾板１４の外周よりも面方向に突出して設けられている。この場合、文字板１２は、ベース板１３がハウジング１０の上面に配置された際に、ベース板１３および装飾板１４が中枠１１の上端部よりも上方に位置して配置される。
【００２７】
これにより、この文字板１２は、図２〜図４に示すように、中枠１１を介してハウジング１０が腕時計ケース１の第１ケース４内に配置された状態で、ベース板１３の複数の突起部１３ａの各上面が第２ケース５の内周面の下部に設けられたリング状の鍔部５ａの下面に、ベース板１３の面方向と直交する厚み方向（上下方向）における下側から押し当てられた状態で、腕時計ケース１内に保持されるように構成されている。
【００２８】
この場合、装飾板１４は、図２〜図４に示すように、その外周面の全周囲が第２ケース５の鍔部５ａの内周面に対向して配置され、且つ装飾板１４の外周面と鍔部５ａの内周面との間に、装飾板１４の面方向の第１の間隔Ｓ１（第１の距離）以上離間して配置されるように構成されている。また、ベース板１３は、ハウジング１０上に配置されて保持された状態で、外周部に設けられた複数の突起部１３ａの各先端部が、第１ケース４の内周面に設けられてベース板１３の面方向への位置ずれを規制する合成樹脂製の押えリング１７の配置される方向に延びるように形成されている。
【００２９】
すなわち、ベース板１３は、図２〜図４に示すように、複数の突起部１３ａの各先端面と第１ケース４の内周面に設けられた押えリング１７の内周面との間に、ベース板１３の面方向の第２の間隔Ｓ２（第２の距離）離間するように第１ケース４内に配置されるように構成されている。この第２の間隔Ｓ２は、装飾板１４の外周面と鍔部５ａの内周面との間の第１の間隔Ｓ１よりも狭い間隔（Ｓ２＜Ｓ１）、例えば第１の間隔Ｓ１の約半分の間隔（Ｓ２≒(1/2)・Ｓ１）に設定されている。すなわち、ベース板１３は、第１の間隔Ｓ１（第１の距離）より接近して第１ケース４内に配置されるように構成されている。
【００３０】
これにより、文字板１２は、図２〜図４に示すように、腕時計ケース１が外部からの衝撃を受けた際に、その衝撃によってベース板１３が面方向に位置ずれして、ベース板１３の複数の突起部１３ａの各先端部が腕時計ケース１の第１ケース４の内周面に設けられた押えリング１７に当接して、ベース板１３の面方向の位置ずれが規制されることにより、装飾板１４の面方向の位置ずれも大きく制限されるため、装飾板１４の外周面が第２ケース５の鍔部５ａの内周面に接触しないように構成されている。
【００３１】
また、装飾板１４の外周部は、図１および図２に示すように、第２ケース５の内周面に設けられたカバー部材であるリング状の見切り部材１８によって非接触状態で覆われている。この見切り部材１８は、内周側に向けて傾斜する傾斜面１８ａが設けられ、この傾斜面１８ａ上に主表示領域の時字（図示せず）が設けられた構造になっている。この見切り部材１８は、装飾板１４の外周部を覆う長さが、見切り部材１８の面方向における中心部の上方から装飾板１４の外周部側を見た際に、第１の間隔Ｓ１が隠れて見えない程度の長さに形成されている。
【００３２】
また、この見切り部材１８は、図１および図２に示すように、その下面とこれに対向する装飾板１４の外周部の上面との間に、装飾板１４の厚み方向（上下方向）の第３の間隔Ｓ３をもって配置されている。見切り部材１８は、ベース板１３の複数の突起部１３ａの上面が第２ケース５の鍔部５ａの下面に押し当てられてベース板１３が保持されていることにより、腕時計ケース１が外部から衝撃を受けても、見切り部材１８の下面が装飾板１４の上面に接触しないように構成されている。
【００３３】
次に、この腕時計の動作について説明する。
この腕時計は、通常、文字板１２の装飾板１４が時計ガラス６を通して腕時計ケース１の外部から見える。この状態では、主表示領域において指針（図示せず）が文字板１２全体の上方を運針することにより、時刻を指示表示する。
【００３４】
また、第１副表示領域１５ａでは、複数のスイッチ部３のいずれかのスイッチ操作によって選択された第１モードに応じて、第１副針（図示せず）が文字板１２の第１円形孔１４ａ内で運針することにより、その選択された第１モードに応じた機能情報を指示する。
【００３５】
同様に、第２副表示領域１５ｂでは、複数のスイッチ部３のいずれかのスイッチ操作によって選択された第２モードに応じて、２つの第２副針（図示せず）が文字板１２の大きさの異なる２つの第２円形孔１４ｂ内でそれぞれ運針することにより、その選択された第２モードに応じた機能情報を指示する。
【００３６】
第３副表示領域１５ｃでは、複数のスイッチ部３のいずれかのスイッチ操作によって選択された第３モードに応じて、第３副針（図示せず）が文字板１２の第３円形孔１４ｃ内で運針することにより、その選択された第３モードに応じた機能情報を指示する。また、第４副表示領域１５ｄでは、時計モジュール８の表示部（図示せず）に表示された時刻や日付などの情報が表示開口部１２ｂから見える。
【００３７】
これにより、この腕時計では、主表示領域の指針の運針、第１副表示領域１５ａの第１副針の運針、第２副表示領域１５ｂの２つの第２副針の運針、および第３副表示領域１５ｃの第３副針の運針に応じて、それぞれ時刻や第１〜第３の機能情報などの各種の情報が指示表示され、この指示表示された情報および時計モジュール８の表示部（図示せず）に表示された時刻や日付などの情報が、時計ガラス６を通して腕時計ケース１の外部から視認される。
【００３８】
また、この腕時計は、腕時計ケース１が外部から衝撃を受けた際に、その衝撃が時計モジュール８のハウジング１０の外周に設けられた中枠１１によって多少緩衝されても、一部の衝撃が腕時計ケース１内の時計モジュール８に伝わる。このため、ハウジング１０上に設けられた文字板１２は、中枠１１によって緩衝しきれなかった衝撃を受ける。
【００３９】
このときには、文字板１２のベース板１３の外周部に設けられて、装飾板１４の外周よりも面方向に突出する複数の突起部１３ａの各上面が、腕時計ケース１の第２ケース５の鍔部５ａの下面に下側から押し当てられた状態で、文字板１２が第１ケース４内に保持されていても、中枠１１によって緩衝しきれなかった衝撃によって、文字板１２が面方向に位置ずれする。
【００４０】
このときには、ベース板１３の複数の突起部１３ａの各先端部が第１ケース４の内周面に設けられた押えリング１７に当接して、ベース板１３の面方向への位置ずれが規制される。このため、文字板１２の装飾板１４の外周部が第２ケース５の鍔部５ａの内周部に接触することがない。これにより、腕時計ケース１が外部から衝撃を受けても、その衝撃によって装飾板１４が傷付いたり破損したりすることを防ぐことができる。
【００４１】
すなわち、文字板１２の装飾板１４は、その外周面と第２ケース５の鍔部５ａの内周面との間に、装飾板１４の面方向の第１の間隔Ｓ１をもって腕時計ケース１内に配置されており、ベース板１３は、その外周部に設けられた複数の突起部１３ａの各先端部と押えリング１７の内周面との間に、ベース板１３の面方向の第２の間隔Ｓ２をもって腕時計ケース１内に配置されている。
【００４２】
この場合、第２の間隔Ｓ２は、装飾板１４の外周面と鍔部５ａの内周面との間の第１の間隔Ｓ１よりも狭い間隔（Ｓ２＜Ｓ１）に設定されている。このため、腕時計ケース１が衝撃を受け、その衝撃によってベース板１３が面方向に位置ずれして、ベース板１３の複数の突起部１３ａの各先端部が第１ケース４の押えリング１７の内周面に当接することにより、ベース板１３の面方向への位置ずれが規制される。
【００４３】
このときには、装飾板１４の外周面と鍔部５ａの内周面との間の第１の間隔Ｓ１が、ベース板１３の複数の突起部１３ａの各先端部と押えリング１７の内周面との間の第２の間隔Ｓ２よりも広い（Ｓ１＞Ｓ２）ので、ベース板１３の複数の突起部１３ａの各先端部が第１ケース４の押えリング１７の内周面に当接しても、装飾板１４の外周部が第２ケース５の鍔部５ａの内周面に接触することがない。このため、腕時計ケース１が外部から衝撃を受けても、その衝撃によって装飾板１４が傷付いたり破損したりするのを確実に防ぐことができる。
【００４４】
また、この腕時計では、装飾板１４の外周部が第２ケース５の内周面に設けられたリング状の見切り部材１８によって非接触状態で覆われているので、装飾板１４の外周面と鍔部５ａの内周面との間に第１の間隔Ｓ１が設けられていても、この第１の間隔Ｓ１を見切り部材１８によって覆い隠すことができる。これにより、外観的もデザイン的に好ましいものを提供することができる。
【００４５】
すなわち、見切り部材１８は、装飾板１４の外周部を覆う長さが、見切り部材１８の面方向における中心部の上方から装飾板１４の外周部側を見た際に、第１の間隔Ｓ１が隠れて見えない程度の長さに形成されているので、装飾板１４の外周面と鍔部５ａの内周面との間の第１の間隔Ｓ１を確実に且つ良好に覆い隠すことができると共に、装飾板１４の外周端をも良好に覆い隠すことができる。これにより、腕時計の外観性およびデザイン性を向上させることができる。
【００４６】
この場合、ベース板１３の複数の突起部１３ａの各上面が第２ケース５の鍔部５ａの下面に押し当てられて、ベース板１３が腕時計ケース１内に保持され、このベース板１３上に設けられた装飾板１４が、その上面と見切り部材１８の下面との間に第３の間隔Ｓ３をもって配置されていることにより、腕時計ケース１が外部から衝撃を受けても、装飾板１４の上面が見切り部材１８の下面に接触することがない。このため、これによっても装飾板１４が傷付いたり破損したりすることがない。
【００４７】
このように、この腕時計によれば、ベース板１３上に装飾板１４が設けられた文字板１２と、この文字板１２を収容する腕時計ケース１と、を備え、文字板１２は、装飾板１４が腕時計ケース１に対して非接触状態で、腕時計ケース１内に収容されていることにより、文字板１２の耐衝撃性を向上させることができる。
【００４８】
すなわち、この腕時計では、文字板１２の装飾板１４が腕時計ケース１に対して非接触状態で腕時計ケース１内に収容されているので、腕時計ケース１が外部から衝撃を受けた際に、装飾板１４が腕時計ケース１に接触することがない。このため、腕時計ケース１が受けた衝撃によって装飾板１４が傷付いたり破損したりすることがないので、耐衝撃性を向上させることができる。
【００４９】
この場合、装飾板１４は、脆性素材によって板状に形成されていることにより、衝撃を受けて腕時計ケース１の内周面に当接した際に、傷付いたり破損したりし易い素材であっても、腕時計ケース１に対して非接触状態で腕時計ケース１内に収容されているので、装飾板１４が脆性素材によって形成されていても、衝撃によって傷付いたり破損したりしないようにすることができる。
【００５０】
また、装飾板１４は、脆性素材として、アヴェンチュリン、サファイア、ヒスイなどの天然または人工の貴石、あるいは夜光貝、鮑貝などの貝であることにより、デザイン性を高めることができるため、商品価値を高めることができる。この場合、この実施形態の装飾板１４は、脆性素材として、アヴェンチュリン、サファイア、ヒスイなどの天然または人工の貴石のうち、好ましくはアヴェンチュリンであることにより、より一層、デザイン性を高めて、商品価値を高めることができる。
【００５１】
すなわち、この装飾板１４は、貴石の素材そのもののデザインを表現することができるので、確実にかつ良好にデザイン性を高めることができ、これにより、より一層、商品価値を高めることができる。また、この装飾板１４が、脆性素材として、夜光貝、鮑貝などの貝であれば、螺鈿としてのデザインを表現することができ、これによっても商品価値を高めることができる。
【００５２】
また、この装飾板１４は、その厚みが０．４ｍｍ〜２．０ｍｍの範囲で、０．７ｍｍ程度に形成されていることにより、装飾板１４が脆性素材であっても、厚みを薄く形成して、文字板１２全体の厚みを薄くすることができ、これにより時計モジュール８の厚みを薄くして、腕時計全体の薄型化を図ることができる。
【００５３】
また、この文字板１２は、ベース板１３が腕時計ケース１にベース板１３の面方向と直交する厚み方向（上下方向）に押し当てられて保持されていることにより、腕時計ケース１が外部から衝撃を受けた際に、ベース板１３によって装飾板１４を腕時計ケース１に接触させないように保持することができ、これにより腕時計ケース１が受けた衝撃によって装飾板１４が腕時計ケース１に接触して傷付いたり破損したりしないようにすることができる。
【００５４】
すなわち、ベース板１３は、時計モジュール８のハウジング１０上に配置された状態で、ベース板１３の外周部に設けられて装飾板１４の外周よりも面方向に突出する複数の突起部１３ａの各上面が、腕時計ケース１の第２ケース５の鍔部５ａの下面に下側から押し当てられていることにより、ベース板１３を腕時計ケース１内に確実にかつ良好に保持することができ、これにより装飾板１４を腕時計ケース１に対して非接触状態で腕時計ケース１内に良好に配置させることができる。
【００５５】
また、この腕時計では、装飾板１４の外周部と腕時計ケース１の内周部との間に、第１の間隔Ｓ１が装飾板１４の面方向に設けられていることにより、腕時計ケース１が外部から衝撃を受けた際に、装飾板１４が腕時計ケース１内で装飾板１４の面方向に位置ずれしても、第１の間隔Ｓ１によって、装飾板１４を腕時計ケース１に接触させないようにすることができる。
【００５６】
この場合、この腕時計では、ベース板１３の外周部に対応して腕時計ケース１の内周部に設けられて、ベース板１３の面方向への位置ずれを規制する押えリング１７を備えていることにより、腕時計ケース１が衝撃を受けた際に、ベース板１３が面方向に位置ずれしても、ベース板１３の外周部に設けられた複数の突起部１３ａの各先端部を押えリング１７に押し当てることができ、これによりベース板１３の面方向の位置ずれを規制して、装飾板１４が腕時計ケース１に接触するのを防ぐことができる。
【００５７】
また、この腕時計では、装飾板１４の外周よりも面方向に突出したベース板１３の外周側の端部である複数の突起部１３ａの各先端部と押えリング１７の内周部との間に、第１の間隔Ｓ１よりも狭い第２の間隔Ｓ２がベース板１３の面方向に設けられていることにより、腕時計ケース１が衝撃を受けて、ベース板１３が面方向に位置ずれした際に、ベース板１３の外周部に設けられた複数の突起部１３ａの各先端部を押えリング１７に当接させて、ベース板１３の面方向への位置ずれを確実に規制することができ、これにより装飾板１４が腕時計ケース１に接触するのを確実に防ぐことができる。
【００５８】
すなわち、この腕時計では、ベース板１３の外周部に設けられて装飾板１４の外周よりも面方向に突出する複数の突起部１３ａの各先端面と押えリング１７の内周部との間に、第１の間隔Ｓ１よりも狭い第２の間隔Ｓ２が設けられているので、腕時計ケース１が受けた衝撃によってベース板１３が面方向に位置ずれして、ベース板１３の複数の突起部１３ａの各先端部が押えリング１７に当接しても、腕時計ケース１の内周面と装飾板１４の外周面との間の第１の間隔Ｓ１が第２の間隔Ｓ２よりも広い（Ｓ１＞Ｓ２）ため、装飾板１４が腕時計ケース１に接触するのを確実に防ぐことができる。
【００５９】
さらに、この腕時計では、装飾板１４の外周面と腕時計ケース１の内周面との間の第１の間隔Ｓ１を覆って装飾板１４の外周部を隠す見切り部材１８を備えていることにより、装飾板１４の外周面と腕時計ケース１の内周面との間に第１の間隔Ｓ１が設けられても、この第１の間隔Ｓ１を見切り部材１８によって覆い隠すことができ、これにより外観的もデザイン的に好ましいものを提供することができる。
【００６０】
すなわち、見切り部材１８は、装飾板１４の外周部を覆う長さが、見切り部材１８の面方向における中心部の上方から装飾板１４の外周部側を見た際に、第１の間隔Ｓ１が隠れて見えない程度の長さに形成されていることにより、装飾板１４の外周面と腕時計ケース１の内周面との間の第１の間隔Ｓ１を確実に且つ良好に覆い隠すことができると共に、装飾板１４の外周端をも良好に覆い隠すことができるので、外観性およびデザイン性を向上させることができる。
【００６１】
この場合、ベース板１３の複数の突起部１３ａの各上面が第２ケース５の鍔部５ａの下面に押し当てられて、ベース板１３が腕時計ケース１内に保持され、このベース板１３上に設けられた装飾板１４が、その外周部の上面と見切り部材１８の下面との間に第３の間隔Ｓ３をもって配置されていることにより、腕時計ケース１が外部から衝撃を受けても、装飾板１４が見切り部材１８に接触することがないため、これによっても装飾板１４が傷付いたり破損したりするのを防ぐことができる。
【００６２】
なお、上述した実施形態では、装飾板１４が、アヴェンチュリン、サファイア、ヒスイなどの天然または人工の貴石、あるいは夜光貝、鮑貝などの貝を用いた脆性素材である場合について述べたが、この発明は必ずしも脆性素材である必要はなく、装飾性を有するものであれば、金属や合成樹脂などの素材を用いても良い。また、この発明は、装飾板１４は必ずしも円形の板状である必要はなく、指針の運針を妨げない形状であれば、どのような形状であっても良い。
【００６３】
また、上述した実施形態では、文字板１２のベース板１３の外周に対応する押えリング１７と、ハウジング１０を腕時計ケース１内に組み付けるためにハウジング１０の外周に設けられた中枠１１とを、個別に形成した場合について述べたが、この発明はこれに限らず、押えリング１７を中枠１１の上部に一体に形成した構造であっても良い。この場合には、押えリングが必ずしもリング状である必要はなく、部分的に設けられたものであっても良い。また、押えリング１７を例えば第２ケース５のベゼルと一体に形成するなどして、腕時計ケース１と一体に形成した構造であっても良い。
【００６４】
さらに、上述した実施形態では、ベース板１３の外周部に複数の突起部１３ａを装飾板１４の外周よりも面方向に突出させて設けた場合について述べたが、この発明は必ずしも複数の突起部１３ａを設ける必要はなく、円板状のベース板１３の直径を装飾板１４の直径よりも大きく形成して、ベース板１３の外周部を装飾板１４の外周部よりも面方向に突出させた構造であっても良い。
【００６５】
また、上述した実施形態では、腕時計ケース１の第２ケース５の内周面に見切り部材１８を設け、この見切り部材１８によって装飾板１４と腕時計ケース１との間の第１の間隔Ｓ１を覆って隠した場合について述べたが、この発明は必ずしも見切り部材１８である必要はなく、腕時計ケース１の第２ケース５の内周面に単純なカバー部材を設けて、装飾板１４と腕時計ケース１との間の第１の間隔Ｓ１を覆い隠すようにしても良い。
【００６６】
なおまた、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。
【００６７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６８】
（付記）
請求項１に記載の発明は、ベース部材上に装飾部材が設けられた文字板と、前記文字板を収容するケースと、を備え、前記文字板は、前記装飾部材が前記文字板の面方向の全周囲において、前記ケースから第１の距離以上離間した位置に配置され、且つ前記ベース部材が前記文字板の面方向の全周囲において、前記ケースから前記第１の距離より接近した位置に配置されるよう前記ケース内に収容されていることを特徴とする時計である。
【００６９】
請求項２に記載の発明は、請求項１に記載の時計において、前記装飾部材は、脆性素材によって板状に形成されていることを特徴とする時計である。
【００７０】
請求項３に記載の発明は、請求項２に記載の時計において、前記装飾部材は、前記脆性素材として、アヴェンチュリン、サファイア、ヒスイなどの天然または人工の貴石、あるいは夜光貝、鮑貝などの貝の素材を含むことを特徴とする時計である。
【００７１】
請求項４に記載の発明は、請求項１〜請求項３のいずれかに記載の時計において、前記文字板は、前記ベース部材が前記ケースに前記ベース部材の面方向と直交する厚み方向に押し当てられて保持されていることを特徴とする時計である。
【００７２】
請求項５に記載の発明は、請求項１〜請求項４のいずれかに記載の時計において、前記ベース部材の外周に対応して前記ケースの内周部に設けられ、前記ベース部材の面方向の位置ずれを規制する押え部材を備えていることを特徴とする時計である。
【００７３】
請求項６に記載の発明は、請求項５に記載の時計において、前記装飾部材の外周よりも突出する前記ベース部材の外周側の端面と前記押え部材の内周面とが、前記第１の距離よりも短い第２の距離だけ面方向において離間して配置されることを特徴とする時計である。
【００７４】
請求項７に記載の発明は、請求項１〜請求項６のいずれかに記載の時計において、前記装飾部材と前記ケースとの間の間隔を覆って前記装飾部材の外周部を隠すカバー部材を備えていることを特徴とする時計である。
【符号の説明】
【００７５】
１  腕時計ケース
４  第１ケース
５  第２ケース
５ａ  鍔部
８  時計モジュール
１０  ハウジング
１１  中枠
１２  文字板
１３  ベース板
１３ａ  突起部
１４  装飾板
１４ａ〜１４ｃ  第１〜第３円形孔
１４ｄ  開口部
１６  装飾リング
１７  押えリング
１８  見切り部材
【図１】
2020159767.tif 000003
【図２】
2020159767.tif 000004
【図３】
2020159767.tif 000005
【図４】
2020159767.tif 000006